(57)【要約】【課題】カプセル化粧品及びその製造方法を提供する。【解決手段】本発明は、１ピース型のカプセル容器を使用し、その容器の内部に、化粧品を製造するための液状化粧料及び多孔性含浸部材を入れた後、シーリング部材でシールすることにより、液状化粧料が多孔性含浸部材に自然に含浸されるようにする。これは、液状化粧料の充填または含浸が迅速、容易かつ簡便に行われるようにして、カプセル化粧品の製造によるコストを節減する。その結果、本発明は低価格の高品質な製品を消費者に提供することができる。【選択図】図１
2016533851.tif 000002
【特許請求の範囲】
【請求項１】
一方に開口部が形成された１ピース型のカプセル容器と、
化粧品を製造するために前記カプセル容器の内部に入れられる液状化粧料及び多孔性含浸部材と、
前記カプセル容器の開口部を密閉遮断するためのシーリング部材とを含んでなることを特徴とする、カプセル化粧品。
【請求項２】
前記カプセル容器に入れられる液状化粧料及び多孔性含浸部材は、前記カプセル容器の下側の底部に先ず前記多孔性含浸部材を入れた後、その上に前記液状化粧料を充填することにより、前記液状化粧料が前記多孔性含浸部材に含浸されるように構成されるか、或いは、前記液状化粧料を先ず充填した後、その上に前記多孔性含浸部材を入れることにより、前記液状化粧料が前記多孔性含浸部材に含浸されるように構成されることを特徴とする、請求項１に記載のカプセル化粧品。
【請求項３】
前記カプセル容器に入れられる多孔性含浸部材は、前記液状化粧料の充填の際に漸次膨れ上がるように圧縮された形態の多孔性含浸部材であることを特徴とする、請求項１に記載のカプセル化粧品。
【請求項４】
前記カプセル容器には、外力の作用の際に伸縮する伸縮部がさらに備えられることを特徴とする、請求項１に記載のカプセル化粧品。
【請求項５】
前記伸縮部は蛇腹形状であることを特徴とする、請求項４に記載のカプセル化粧品。
【請求項６】
一方に開放部が形成された１ピース型のカプセル容器と；
化粧品を製造するために前記カプセル容器の内部に入れられ、充填孔が形成された多孔性含浸部材と；
前記カプセル容器の開口部を密閉遮断するためのシーリング部材と；を含んでなり、
前記充填孔に差し込まれるノズル及び加圧板を有する充填部材を用いて前記多孔性含浸部材を加圧しながら液状化粧料を強制的に充填するとともに、加圧力を解除することにより圧縮状態の多孔性含浸部材が復元しながら液状化粧料の速やかな吸収含浸が行われるように構成されたことを特徴とする、カプセル化粧品。
【請求項７】
一方に開口部が形成された１ピース型のカプセル容器の内部に化粧品を製造するための液状化粧料を充填し、多孔性含浸部材を入れた後、前記カプセル容器の開口部をシーリング部材でシールすることにより、前記液状化粧料が多孔性含浸部材に含浸されるように製造することを特徴とする、カプセル化粧品の製造方法。
【請求項８】
前記カプセル容器に先ず前記多孔性含浸部材を入れた後、該多孔性含浸部材の上に液状化粧料を充填することにより、前記液状化粧料が上部から下部に浸透しながら含浸されるようにするか、或いは、前記液状化粧料を先ず充填した後、その上に前記多孔性含浸部材を入れることにより、前記液状化粧料が前記多孔性含浸部材の下部から上部に向かいながら含浸されるようにすることを特徴とする、請求項７に記載のカプセル化粧品の製造方法。
【請求項９】
前記多孔性含浸部材は、圧縮された形態の多孔性含浸部材を用いて、前記液状化粧料の充填の際に漸次膨れ上がりながら前記液状化粧料が含浸されるようにすることを特徴とする、請求項７に記載のカプセル化粧品の製造方法。
【請求項１０】
前記カプセル容器としては伸縮部をさらに備えたものを用いて製造し、該伸縮部が外力によって伸縮することにより、カプセル容器内に入れられて１次に液状化粧料の含浸作業が完了した多孔性含浸部材に対する液状化粧料の含浸作業が再び行われるようにすることを特徴とする、請求項７に記載のカプセル化粧品の製造方法。
【請求項１１】
一方に開口部が形成された１ピース型のカプセル容器内に充填孔付き多孔性含浸部材のみを入れ、前記充填孔に対して充填部材のノズルを差し込んだ後、加圧板を用いて前記多孔性含浸部材を加圧しながら液状化粧料を強制的に充填するとともに、多孔性含浸部材に対する充填部材の加圧力を解除することにより、加圧状態にあった多孔性含浸部材が原状復帰しながら液状化粧料を速やかに吸収して含浸されるようにすることを特徴とする、カプセル化粧品の製造方法。
【発明の詳細な説明】
【技術分野】
【０００１】
本発明は、１ピース型のカプセル容器を用いて液状化粧料が含浸部材に含浸されたカプセル化粧品及びその製造方法に関する。
【背景技術】
【０００２】
従来、液状化粧料は各種化粧品容器などに充填されて流通及び保管されたが、これらの容器は携帯使用が非常に不便であった。このような問題を解決するために、最近では、液状化粧料の携帯使用がより便利に行われるようにする方案が様々に検討されている。その一例としてコンパクトタイプの容器が提案されており、主に担体に対して液状化粧料を充填させて使用する方法が講じられている。
【０００３】
しかし、従来のコンパクトタイプの容器に適用される液状化粧料は、担体に充填された状態で、少なくとも２ピース、例えば容器本体、折畳式蓋を含む、液状化粧料が充填された担体の離脱を防止するためのカバーリングなどの多重構造からなる詰め替え容器または化粧品容器に収容されて使用されるか、或いはこれらの容器を用いて充填製造された液状化粧料化粧品が使用されている。
【０００４】
したがって、従来の液状化粧料は、少なくとも２ピースの構造を持つ詰め替え容器に収容されて使用されるか或いは充填されるものであって（特許文献１の図３を参照）、２ピース以上の構造を持つ容器の製作による製造コストが自然に上昇する問題や、液状化粧料を担体に予め充填させた後、詰め替え容器などに入れて使用することにより組立及び充填時間が過多になる問題などを回避することは難しい。
【先行技術文献】
【特許文献】
【０００５】
【特許文献１】韓国公開特許第１０−２０１２−０１０８５０９号公報
【発明の概要】
【発明が解決しようとする課題】
【０００６】
そこで、本発明は、上述した従来の問題点を解決するためになされたもので、その目的は、液状化粧料及び多孔性含浸部材を１ピース型のカプセル容器に入れてシールすることにより、多孔性含浸部材に対する液状化粧料の充填及び含浸作業が非常に簡単で迅速かつ容易に行われるようにした、カプセル化粧品及びその製造方法を提供することにある。
【課題を解決するための手段】
【０００７】
本発明のある観点によれば、一方に開口部が形成された１ピース型のカプセル容器と、化粧品を製造するために前記カプセル容器の内部に入れられる液状化粧料及び多孔性含浸部材と、前記カプセル容器の開口部を密閉遮断するためのシーリング部材とを含んでなる
、カプセル化粧品を提供する。
【０００８】
前記カプセル容器に入れられる液状化粧料及び多孔性含浸部材は、
前記カプセル容器の下側の底部に先ず前記多孔性含浸部材を入れた後、その上に前記液状化粧料を充填することにより、前記液状化粧料が前記多孔性含浸部材に含浸されるように構成されるか、或いは、前記液状化粧料を先ず充填した後、その上に前記多孔性含浸部材を入れることにより、前記液状化粧料が前記多孔性含浸部材に含浸されるように構成されることを特徴とする。
【０００９】
前記カプセル容器に入れられる多孔性含浸部材は、前記液状化粧料の充填の際に漸次膨れ上がるように圧縮された形態の多孔性含浸部材であることを特徴とする。
【００１０】
前記カプセル容器には、外力の作用の際に伸縮する伸縮部がさらに備えられることを特徴とする。
【００１１】
前記伸縮部は蛇腹形状であることを特徴とする。
【００１２】
本発明の他の観点によれば、一方に開放部が形成された１ピース型のカプセル容器と；
化粧品を製造するために前記カプセル容器の内部に入れられ、充填孔が形成された多孔性含浸部材と；前記カプセル容器の開口部を密閉遮断するためのシーリング部材と；を含んでなり、前記充填孔に差し込まれるノズル及び加圧板を有する充填部材を用いて前記多孔性含浸部材を加圧しながら液状化粧料を強制的に充填するとともに、加圧力を解除することにより圧縮状態の多孔性含浸部材が復元しながら液状化粧料の速やかな吸収含浸が行われるように構成されたことを特徴とする、カプセル化粧品を提供する。
【００１３】
本発明の別の観点によれば、 一方に開口部が形成された１ピース型のカプセル容器の内部に化粧品を製造するための液状化粧料を充填し、多孔性含浸部材を入れた後、前記カプセル容器の開口部をシーリング部材でシールすることにより、前記液状化粧料が多孔性含浸部材に含浸されるように製造することを特徴とする、カプセル化粧品の製造方法を提供する。
【００１４】
前記カプセル容器に先ず前記多孔性含浸部材を入れた後、該多孔性含浸部材の上に液状化粧料を充填することにより、前記液状化粧料が上部から下部に浸透しながら含浸されるようにするか、或いは、前記液状化粧料を先ず充填した後、その上に前記多孔性含浸部材を入れることにより、前記液状化粧料が前記多孔性含浸部材の下部から上部に向かいながら含浸されるようにすることを特徴とする。
【００１５】
前記多孔性含浸部材は、圧縮された形態の多孔性含浸部材を用いて、前記液状化粧料の充填の際に漸次膨れ上がりながら前記液状化粧料が含浸されるようにすることを特徴とする
。
【００１６】
前記カプセル容器としては伸縮部をさらに備えたものを用いて製造し、該伸縮部が外力によって伸縮することにより、カプセル容器内に入れられて１次に液状化粧料の含浸作業が完了した多孔性含浸部材に対する液状化粧料の含浸作業が再び行われるようにすることを特徴とする。
【００１７】
本発明の別の観点によれば、一方に開口部が形成された１ピース型のカプセル容器内に充填孔付き多孔性含浸部材のみを入れ、前記充填孔に対して充填部材のノズルを差し込んだ後、加圧板を用いて前記多孔性含浸部材を加圧しながら液状化粧料を強制的に充填するとともに、多孔性含浸部材に対する充填部材の加圧力を解除することにより、加圧状態にあった多孔性含浸部材が原状復帰しながら液状化粧料を速やかに吸収して含浸されるようにすることを特徴とする、カプセル化粧品の製造方法を提供する。
【発明の効果】
【００１８】
本発明によれば、１ピース型のカプセル容器に液状化粧料及び多孔性含浸部材を投入または充填した後、シールすることによりカプセル化粧品が製造されるので、液状化粧料の充填が非常に簡便かつ迅速に行われるとともに、多孔性含浸部材に対する液状化粧料の含浸がシーリング後にも持続的に行われるので、液状化粧料の含浸効率を著しく高めながらカプセル化粧品の製造時間を著しく短縮するうえ、製造コストを最小化することができる非常に経済的な効果がある。
【００１９】
また、本発明によれば、１ピース型のカプセル容器を用いて化粧品を製造することにより、カプセル化粧品を非常にシンプルで様々なサイズに製作することができる効果もある。
【００２０】
また、本発明によれば、充填部材を用いて、カプセル容器に入れられた多孔性含浸部材に対する液状化粧料の充填及び含浸が行われるようにすることにより、液状化粧料のより迅速な充填及び含浸作業が可能である効果もある。
【図面の簡単な説明】
【００２１】
【図１】本発明の第１実施例に係るカプセル化粧品の含浸前後を示す断面図である。
【図２】本発明の第１実施例に係るカプセル化粧品の含浸前後を示す断面図である。
【図３】液状化粧料及び多孔性含浸部材の配列構造のみを図１及び図２とは異ならせた状態での含浸前後の断面図である。
【図４】液状化粧料及び多孔性含浸部材の配列構造のみを図１及び図２とは異ならせた状態での含浸前後の断面図である。
【図５】図１及び図２における圧縮形態の多孔性含浸部材及びこれを用いた含浸前後の断面図である。
【図６】図１及び図２における圧縮形態の多孔性含浸部材及びこれを用いた含浸前後の断面図である。
【図７】図１及び図２における圧縮形態の多孔性含浸部材及びこれを用いた含浸前後の断面図である。
【図８】液状化粧料及び圧縮形態の多孔性含浸部材の配列構造を図５乃至図７とは異ならせた状態での含浸前後の断面図である。
【図９】液状化粧料及び圧縮形態の多孔性含浸部材の配列構造を図５乃至図７とは異ならせた状態での含浸前後の断面図である。
【図１０】本発明に係るカプセル容器の変形例及び折畳部の折畳前後の状態を示す抜粋断面図である。
【図１１】本発明に係るカプセル容器の変形例及び折畳部の折畳前後の状態を示す抜粋断面図である。
【図１２】図１０及び図１１の変形カプセル容器を用いて液状化粧料の含浸前後の状態を示す断面図である。
【図１３】図１０及び図１１の変形カプセル容器を用いて液状化粧料の含浸前後の状態を示す断面図である。
【図１４】図１０及び図１１の変形カプセル容器を用いて液状化粧料の含浸前後の状態を示す断面図である。
【図１５】液状化粧料及び多孔性含浸部材の配列を図１２乃至図１４とは異ならせた状態での含浸前後の断面図である。
【図１６】液状化粧料及び多孔性含浸部材の配列を図１２乃至図１４とは異ならせた状態での含浸前後の断面図である。
【図１７】本発明の第２実施例に係るカプセル化粧品の含浸前後の状態を各順序的に示す断面図である。
【図１８】本発明の第２実施例に係るカプセル化粧品の含浸前後の状態を各順序的に示す断面図である。
【図１９】本発明の第２実施例に係るカプセル化粧品の含浸前後の状態を各順序的に示す断面図である。
【図２０】本発明の第２実施例に係るカプセル化粧品の含浸前後の状態を各順序的に示す断面図である。
【図２１】本発明の第２実施例に係るカプセル化粧品の含浸前後の状態を各順序的に示す断面図である。
【発明を実施するための形態】
【００２２】
以下に添付図面を参照しながら、本発明に係る好適な実施例を詳細に説明する。
【００２３】
本発明において、カプセル化粧品とは、カプセル容器内に化粧品が内蔵された形態を意味し、ここで、化粧品とは、多孔性含浸部材に対して液状化粧料が含浸された形態の化粧品を意味する。
【００２４】
本発明の一実施例によれば、カプセル化粧品１００は、図１及び図２に示すように、一方に開口部１１２が形成された１ピース型のカプセル容器１１０を含む。そして、カプセル容器の内部には、化粧品を製造するための液状化粧料１２０と多孔性含浸部材１３０が入れられる。前記カプセル容器の開口部にはシーリング部材１４０を取り付けることにより、カプセル容器の開口部を最終的に密閉遮断する。
【００２５】
ここで、１ピース型のカプセル容器１１０とは、従来のように容器に対して別個の折畳式蓋やカバーリングなどの構造を含まない概念であり、一つのカプセル容器１１０のみを使用してもカプセル化粧品１００の製造が可能であることを意味する。
【００２６】
通常、このようなカプセル容器１１０は、素材に応じて射出方式やブロワー方式などの様々な方式で製作できる。前述した射出方式やブロワー方式で製作される場合、その素材は、一般的に合成樹脂、さらに好ましくは化粧品容器に適した特性を持つプラスチック材料が用いられる。
【００２７】
勿論、１ピース型のカプセル容器１１０は、金属素材、さらに好ましくはアルミニウムや亜鉛合金素材を用いてプレス方式により製作されることもできる。
【００２８】
一方、本発明に係るカプセル容器１１０は、必要に応じて開口部１１２の外周縁にフランジ１１３をさらに拡張形成してシーリング部材１４０のシーリング作業をより容易に誘導することもできる。
【００２９】
本発明によれば、多孔性含浸部材１３０は、液状化粧料１２０の含浸効率が良好な素材であれば、特定の素材に制限される必要はないだろう。例えば、空気透過性が高く、ある程度の弾力性と伸縮性を有する素材であれば好ましく、さらに好ましくはソフトな素材である。空気透過性が高く伸縮性を有する素材であれば、液状化粧料の浸透率が高くて含浸効率がその分迅速かつ良好に行われる効果を提供する。もし弾力性が良好な場合には化粧品の使用による良好な弾性復元力を提供し、その分だけ使用効率を高める。このような素材として、一般的に知られているスポンジ（ｓｐｏｎｇｅ）は最適の条件を備えていると言えるだろう。
【００３０】
また、カプセル容器１１０の内周面には、液状化粧料１２０が含浸された後で多孔性含浸部材１３０の任意の離脱を防止するための離脱防止手段がさらに設けられてもよい。このような離脱防止手段としては、図２に拡大して示すように、内周壁面の上端に一体に形成された係止段１１４であってもよい。たとえ図示してはいないが、開口部１１２の上端の内周面に設けられる係止段であってもよい。
【００３１】
カプセル容器１１０の開口部１１２を密閉遮断するシーリング部材１４０は、アルミニウム箔状のフィルムを使用することができる。このようなシーリング部材は、カプセル容器１１０から、その内部に収容された化粧品の外部漏れを防止し且つ気密を確保するためにシールするものである。使い捨てのシーリング部材の場合には、一度開放すると、再付着使用することはできない。それとは逆に、反復的に使用する用途に設計されるシーリング部材の場合には、連続反復的な開閉操作ができるように付着使用することもできる。
【００３２】
図１及び図２を参照してカプセル化粧品１００の形成過程を説明する。まず、開口部１１２がオープンされた状態で、カプセル容器１１０の内部に、化粧品を製造するための液状化粧料１２０と多孔性含浸部材１３０を入れる（図１参照）。その後、前記カプセル容器の開口部にシーリング部材１４０を最終的にシールする（図２参照）。カプセル容器の内部に収容された液状化粧料は、シーリング部材によって完全に遮断密閉され、外部への漏れが防止されるとともに、梱包された状態で多孔性含浸部材１３０に染み込みながら含浸作業が行われる。
【００３３】
したがって、本発明の一実施例のカプセル化粧品１００によれば、別途の工程によって液状化粧料が多孔性含浸部に含浸される作業を経るのではなく、カプセル容器１１０内にこれらの部材を入れた後、シーリング部材でシールすることにより自然に吸収及び含浸作業が行われる。これにより、多孔性含浸部材に対する液状化粧料の充填及び含浸作業がその分便利かつ簡便になるのである。
【００３４】
一方、本発明の一実施例のカプセル化粧品１００によれば、前記カプセル容器１１０に入れられる液状化粧料１２０及び多孔性含浸部材１３０は、図１に示すように、カプセル容器１１０の下側に多孔性含浸部材１３０を入れ、その上に液状化粧料１２０を充填した後、液状化粧料が多孔性含浸部材に自然に染み込みながら含浸されるように構成することもでき、その逆に、図３に示すように、液状化粧料１２０をカプセル容器１１０の下部に先ず充填した後、その上部に多孔性含浸部材１３０をのせ、シーリング部材１４０を用いて最終的にシールすることにより液状化粧料１２０が多孔性含浸部材１３０に徐々に含浸されるように構成することもできる。
【００３５】
ここで、カプセル容器１１０の内部における液状化粧料１２０または多孔性含浸部材１３０の配列を異ならせて含浸処理が行われるようにすることは製造上大きな差ではないが、含浸による効率の面を考慮すると、図１に示すように多孔性含浸部材１３０を先ずカプセル容器１１０に入れ、その上に液状化粧料１２０を充填する方法がさらに好ましい。
【００３６】
一方、本発明の一実施例のカプセル化粧品１００によれば、前記カプセル容器１１０に入れられる多孔性含浸部材１３０は、図５に示すように、液状化粧料１２０の充填の際に漸次膨れ上がるように事前に製造された圧縮形態の多孔性含浸部材１３０−１を使用することが好ましい。
【００３７】
このような圧縮形態の多孔性含浸部材１３０は、素材の特性上、図６及び図７に示すように、圧縮された状態でカプセル容器１１０に取り入れた後、液状化粧料１２０を充填すると、液状化粧料が圧縮形態の多孔性含浸部材１３０−１に染み込めるように充填空間が漸次拡張されて一定の大きさまでその体積が拡張される特性を有する。
【００３８】
したがって、図６及び図７に示すように、液状化粧料１２０を充填する前には圧縮された状態であるが、液状化粧料が充填されると漸次膨れ上がるのである。
【００３９】
一方、前述した圧縮形態の多孔性含浸部材１３０−１も、図８に示すようにその配列を異にしてもよいだろう。つまり、カプセル容器１１０の下部に液状化粧料１２０を先ず充填した後、その上に圧縮形態の多孔性含浸部材１３０−１をのせる場合でも、その下部から上部へ液状化粧料が漸次染み込むことによりその体積が拡張され得るのである。ここで、圧縮形態の多孔性含浸部材の配列を異にすることも、その含浸効率において若干の差以外には他の違いはないが、好ましくは、図６に示すように、圧縮形態の多孔性含浸部材１３０−１を先ず投入し、その上に液状化粧料を充填する方式が含浸効率の面でさらに有利である。
【００４０】
本発明の一実施例のカプセル化粧品１００によれば、カプセル容器１１０には、図１０に示すように、外力の作用時に伸縮する伸縮部１１６がさらに備えられることが好ましい。ここで、伸縮部１１６は、伸縮作用が可能な形態であれば特定の伸縮構造に制限される必要はない。ところが、前記伸縮部１１６は、上下伸縮作用が容易になされる蛇腹形状（ｂｅｌｌｏｗｓ  ｔｙｐｅ）に形成されることが最も好ましい。
【００４１】
ここで、伸縮部１１６を形成することにより、図１１に示すように、カプセル化粧品の使用の際に、伸縮部を有するカプセル容器の下端部が外力を受けると、前記伸縮部を介してその伸縮距離Ｌの範囲内でカプセル容器１１０の底部１１１が内側に押し上げられるのである。
【００４２】
このような底部１１１の押圧は、後述する図１４の如く、その内部に入れられた多孔性含浸部材１３０を押し上げる効果を発揮し、このような上昇作用により多孔性含浸部材１３０は液状化粧料１２０に対する含浸作用をさらにもう一度起こして含浸効率性を一層高めることができる。
【００４３】
前述した伸縮部１１６を有するカプセル容器１１０を用いたカプセル化粧品１００も、図１２及び図１５に示すように液状化粧料１２０及び多孔性含浸部材１３０の配列をそれぞれ異にして形成されても構わない。この場合、液状化粧料１２０の含浸による効率の面を考慮すると、図１２に示すように、多孔性含浸部材１３０がカプセル容器１１０の下側に配置構成されるようにすることがさらに好ましい。
【００４４】
一方、本発明に係るカプセル化粧品１００は、図１７乃至図２１に示すように異なる方式で実施できる。これは、上述した第１実施例と比較して、１ピース型のカプセル容器１１０に入れられる多孔性含浸部材１３０の構成を異にし、且つ、多孔性含浸部材に対する液状化粧料の充填を別個の充填部材１５０を用いて行った後、シーリング部材１４０でシールするという構成上の違いを持つ。
【００４５】
これをさらに詳述すると、第２実施例に係るカプセル化粧品１００は、第１実施例とは、図１７に示すように多孔性含浸部材１３０には液状化粧料１２０の強制充填のための充填孔１３２を形成し、図１８に示すように充填部材１５０を用いて充填するという構成上の違いのみを持つ。
【００４６】
多孔性含浸部材１３０に対する液状化粧料の充填は、まず、カプセル容器１１０に入れられた多孔性含浸部材１３０に形成された充填孔１３２に対して図１８の如く充填部材１５０のノズル１５２を差し込んだ後、ノズルの上部に形成された加圧板１５４を用いて図１９の如く前記多孔性含浸部材１３０を適正の圧力で押して圧着した状態で液状化粧料１２０を強制的に投入充填する。これにより、液状化粧料は、圧着状態にある多孔性含浸部材１３０の充填孔１３２を中心にその下部縁を介して周辺に均一に分布され、液状化粧料の充填が完了した後で充填部材１５０を図２０の如く多孔性含浸部材から除去して加圧力を解除すると、強制的に圧縮状態にあった多孔性含浸部材は元の状態に戻りながら、圧縮状態で過密に分布していた液状化粧料を速やかに吸収するようになる。このような多孔性含浸部材の迅速な吸収動作を介して、液状化粧料は多孔性含浸部材に速やかに含浸できるのである（図２１参照）。このように液状化粧料の充填作業が完了したら、最終的にシーリング部材１４０でカプセル容器１１０の開口部１１２の上面を密閉遮断するようにシールすればよいのである。
【００４７】
前述のように構成される第２実施例のカプセル化粧品１００によれば、充填部材１５０を用いて、充填孔１３２付き多孔性含浸部材１３０を加圧しながら液状化粧料を強制的に充填するとともに、加圧力を解除することにより充填部材を介して充填された液状化粧料が多孔性含浸部材にさらに速やかに吸収含浸されるのである。
【００４８】
上述したような本発明のカプセル化粧品は、化粧品を使用しようとする場合には、カプセル容器１１０の開口部１１２からシーリング部材１４０を取り外して使用すればよい。このようなカプセル化粧品は、それ自体で独立して使用することもでき、必要に応じて、別個の容器に入れて詰め替え用に使用することもできる。
【００４９】
次に、本発明の第１及び第２実施例に係るカプセル化粧品１００の製造方法について説明する。本発明に係るカプセル化粧品１００の製造方法を説明するにあたり、図１乃至図２１の各図を参照する。
【００５０】
まず、本発明の第１実施例に係るカプセル化粧品の製造方法によれば、一方に開口部１１２が形成された１ピース型のカプセル容器１１０の内部に液状化粧料１２０と多孔性含浸部材１３０を入れ、前記カプセル容器の開口部をシーリング部材１４０でシールすることにより、前記液状化粧料が多孔性含浸部材に含浸されるように製造されることが好ましい。
【００５１】
第１実施例によれば、前記カプセル容器１１０に先ず前記多孔性含浸部材１３０を入れ、その上部に液状化粧料１２０を充填することにより、液状化粧料が上部から下部に浸透しながら含浸されるようにするか、或いはその逆に入れて液状化粧料が多孔性含浸部材の下部から上部に向いながら含浸されるようにすることが好ましい。
【００５２】
また、前記第１実施例によれば、多孔性含浸部材１３０は、圧縮形態の多孔性含浸部材を用いて、液状化粧料の充填の際に漸次膨れ上がりながら液状化粧料が含浸されるように製造することが好ましい。
【００５３】
また、第１実施例によれば、カプセル容器１１０としては伸縮部１１６をさらに備えたものを使用し、この伸縮部１１６が外力によって伸縮することにより、カプセル容器の内部に入れられて１次に液状化粧料の含浸作業が完了した多孔性含浸部材１３０に対する液状化粧料の含浸作業が再び行われるように製造することが好ましい。
【００５４】
一方、本発明の第２実施例に係るカプセル化粧品の製造方法によれば、一方に開口部１１２が形成された１ピース型のカプセル容器１１０の内部に充填孔１３２付き多孔性含浸部材１３０のみを入れ、前記充填孔に対して充填部材１５０のノズル１５２を差し込んだ後、加圧板１５４を用いて前記多孔性含浸部材を加圧しながら液状化粧料１２０を強制的に充填するとともに、多孔性含浸部材に対する充填部材の加圧力を解除することにより、加圧状態にあった多孔性含浸部材が原状復帰しながら液状化粧料を速やかに吸収して含浸されるようにすることが好ましい。
【００５５】
本発明に係る方法は、２ピース以上の構造を持つ化粧品容器または詰め替え容器を用いて液状化粧品を必要な用途に合わせて製造する従来の方式に比べて、多孔性含浸部材１３０に対する液状化粧料１２０の充填作業の迅速性、便利性、充填時間の著しい短縮による製造コストの削減を図ることができる。
【符号の説明】
【００５６】
１００  カプセル化粧品
１１０  カプセル容器
１１１  底部
１１２  開口部
１１３  フランジ
１１４  係止段
１１６  伸縮部
１２０  液状化粧料
１３０  多孔性含浸部材
１３２  充填孔
１４０  シーリング部材
１５０  充填部材
１５２  ノズル
１５４  加圧板
Ｌ      伸縮距離
【図１】
2016533851.tif 000003
【図２】
2016533851.tif 000004
【図３】
2016533851.tif 000005
【図４】
2016533851.tif 000006
【図５】
2016533851.tif 000007
【図６】
2016533851.tif 000008
【図７】
2016533851.tif 000009
【図８】
2016533851.tif 000010
【図９】
2016533851.tif 000011
【図１０】
2016533851.tif 000012
【図１１】
2016533851.tif 000013
【図１２】
2016533851.tif 000014
【図１３】
2016533851.tif 000015
【図１４】
2016533851.tif 000016
【図１５】
2016533851.tif 000017
【図１６】
2016533851.tif 000018
【図１７】
2016533851.tif 000019
【図１８】
2016533851.tif 000020
【図１９】
2016533851.tif 000021
【図２０】
2016533851.tif 000022
【図２１】
2016533851.tif 000023
【国際調査報告】
2016533851.tif 000024
2016533851.tif 000025